(57)【要約】  【課題】  デュアルメディア機能に交通情報を割込み音響出力する機能を備えた場合には複雑な制御処理構成が必要となる。  【解決手段】  複数の再生源２Ａと、複数の再生源からの再生信号の内、スピーカ５及びヘッドホン６で異なる再生信号を音響出力するデュアルメディア機能を備えたマイコン２１とを備えた車載用オーディオ装置１であって、交通情報の受信開始を示す割込み信号を検出する割込み検出部１９を有し、マイコンは、割込み信号を検出すると、現在選択中の再生信号に関わるヘッドホン及びリアスピーカ５Ｂへの音響出力を保持したまま、フロントスピーカ５Ａにのみ交通情報を割込み音響出力させるようにしたものである。【選択図】  図２
2005130006.tif 000002
【特許請求の範囲】
【請求項１】
複数の再生源と、これら複数の再生源からの再生信号の内、任意の再生源からの再生信号を選択する再生信号選択手段と、この再生信号選択手段にて選択した再生信号をスピーカ手段及びヘッドホン手段に再生出力させる制御手段とを有する再生装置であって、
前記複数の再生源の内、所定の再生源からの割込み信号を検出する割込み検出手段を有し、
前記制御手段は、
前記割込み検出手段にて前記割込み信号を検出すると、前記再生信号選択手段にて選択中の再生信号に関わる前記ヘッドホン手段への再生出力を保持しながら、前記再生信号選択手段にて前記割込み信号に関わる再生信号を選択し、この再生信号を前記スピーカ手段にのみ再生出力させることを特徴とする再生装置。
【請求項２】
複数の再生源と、これら複数の再生源からの再生信号の内、少なくとも二以上の異なる再生信号を同時選択可能とする再生信号選択手段と、この再生信号選択手段にて同時選択中の異なる再生信号の内、一の再生信号をスピーカ手段に再生出力させながら、このスピーカ手段にて再生出力中の再生信号とは異なる再生信号をヘッドホン手段に再生出力させる制御手段とを有する再生装置であって、
前記複数の再生源の内、所定の再生源からの割込み信号を検出する割込み検出手段を有し、
前記制御手段は、
前記割込み検出手段にて前記割込み信号を検出すると、前記再生信号選択手段にて選択中の再生信号に関わる前記ヘッドホン手段への再生出力を保持しながら、前記再生信号選択手段にて前記割込み信号に関わる再生信号を選択し、この再生信号を前記スピーカ手段にのみ再生出力させることを特徴とする再生装置。
【請求項３】
前記制御手段は、
前記割込み検出手段にて前記割込み信号を検出すると、前記再生信号選択手段にて前記割込み信号に関わる再生信号を選択し、この再生信号に所定の音響処理を施し、この所定の音響処理を施した再生信号を前記スピーカ手段にのみ再生出力させることを特徴とする請求項１又は２記載の再生装置。
【請求項４】
前記制御手段は、
前記割込み検出手段にて前記割込み信号を検出すると、前記再生信号選択手段にて前記割込み信号に関わる再生信号を選択し、この再生信号を前記スピーカ手段内の複数のスピーカの内、所定スピーカにのみ再生出力させることを特徴とする請求項１、２又は３記載の再生装置。
【発明の詳細な説明】
【技術分野】
【０００１】
本発明は、例えばＣＤ、ＭＤ、ＤＶＤ等の記録媒体の再生機能やＡＭ／ＦＭラジオ放送の受信機能等の複数の再生源を有し、これら複数の再生源からの再生信号を同時に再生可能とし、異なる再生源からの再生信号をスピーカ及びヘッドホンに夫々音響出力する、例えばデュアルメディア機能を備えた車載用オーディオ装置等の再生装置に関する。
【背景技術】
【０００２】
従来、車載用オーディオ装置は、再生機能や受信機能を備えた複数の再生源を有し、複数の再生源からの再生信号の内、一の再生信号を選択し、この選択した再生信号をスピーカから音響出力するようにしている。
【０００３】
また、このような従来の車載用オーディオ装置の受信機能によれば、例えば欧州のＲＤＳ方式のＦＭ多重放送を受信する機能を有し、到来するＦＭ多重放送を受信して、このＦＭ多重放送から交通情報や番組識別情報等を含む多重情報を抽出し、この多重情報に基づいて様々なサービスを、車載用オーディオ装置のユーザに提供している。
【０００４】
このような従来の車載用オーディオ装置によれば、例えばＣＤ再生部をソース選択し、このソース選択したＣＤ再生部からの再生信号をスピーカから音響出力している間に、受信機能を通じてＦＭ多重放送から交通情報の受信開始を示す割込み信号を検出すると、スピーカの音響出力を中断して、ラジオをソース選択し、このソース選択したラジオで受信した交通情報をスピーカから割込み音響出力するものである（例えば特許文献１参照）。
【０００５】
従って、このような特許文献１の車載用オーディオ装置によれば、スピーカにて再生信号の音響出力中に、交通情報の受信開始を示す割込み信号を検出すると、同スピーカの音響出力を中断して、同スピーカから交通情報を割込み音響出力させるようにしたので、最新の交通情報をユーザに提供することができる。
【０００６】
しかしながら、特許文献１の車載用オーディオ装置によれば、スピーカにて再生信号の音響出力中に、交通情報の受信開始を示す割込み信号を検出すると、スピーカからの音響出力を中断して、交通情報を割込み音響出力するようにしたので、例えば交通情報を必要とする運転者にとっては使い勝手が良いものの、交通情報に関心のない同乗者等には、受聴中の再生信号が中断され、不快感を与えてしまう虞がある。
【０００７】
そこで、このような事態に対処すべく、従来の車載用オーディオ装置によれば、スピーカを複数個のスピーカ（フロントスピーカ、サラウンドスピーカ、サブウーファスピーカ及びセンタスピーカ）で構成し、例えばＣＤ等の再生信号をスピーカにて音響出力中に交通情報の受信開始を示す割込み信号を検出したとしても、音響出力中の複数のスピーカの内、特定のスピーカからの音響出力だけを中断し、特定のスピーカ以外の他のスピーカからは音響出力中の再生信号の音響出力を保持したまま、特定のスピーカにだけ交通情報を割込み音響出力させたものがある（例えば特許文献２参照）。
【０００８】
従って、この特許文献２の車載用オーディオ装置によれば、スピーカにて再生信号の音響出力中に交通情報の受信開始を示す割込み信号を検出すると、特定のスピーカ以外のスピーカにて再生信号の音響出力を保持したまま、特定のスピーカの音響出力だけを中断し、この特定のスピーカにだけ交通情報を割込み音響出力させるようにしたので、再生信号の音響出力中に割込み信号が発生したとしても、交通情報に関心のないユーザに対して受聴中の再生信号の中断に伴う不快感を与えることなく、特定のユーザに対してのみ交通情報を提供することができる。
【０００９】
しかしながら、近年では、特許文献１及び特許文献２の車載用オーディオ装置とは全く機能を異にする、ヘッドホン及びスピーカで異なる再生源からの再生信号を夫々音響出力するデュアルメディア機能を備えた車載用オーディオ装置が広く普及しつつある。
【特許文献１】特開平７−３３６２５９号公報（要約書及び図１参照）
【特許文献２】特開２００１−１１１４４１号公報（要約書及び図１参照）
【発明の開示】
【発明が解決しようとする課題】
【００１０】
しかしながら、上記従来の特許文献２の車載用オーディオ装置によれば、複数の再生源の内、一の再生源からの再生信号を選択し、この選択した再生信号を全スピーカから音響出力している間に、交通情報の受信開始を示す割込み信号を検出すると、全スピーカの内、特定のスピーカ以外のスピーカによる再生信号の音響出力を保持したまま、特定のスピーカの音響出力だけを中断し、特定のスピーカにだけ交通情報を割込み音響出力させるようにしたが、近年普及しつつあるデュアルメディア機能を備えた車載用オーディオ装置においては、ヘッドホン出力及びスピーカ出力用に複数の再生源を同時に選択する機能を備えているため、交通情報の割込みが発生したとしても、スピーカ及びヘッドホンでは異なる再生信号を夫々音響出力していることから、交通情報をスピーカ（若しくは複数スピーカ内の特定スピーカ）に割込み音響出力する上では、複雑な制御が必要になるものと考えられる。
【００１１】
そこで、本発明は上記点に鑑みてなされたものであり、その目的とするところは、複雑な制御を要することなく、交通情報等の割込みが発生したとしても、ヘッドホンの音響出力に影響を与えることなく、スピーカにのみ交通情報を音響出力させることができるデュアルメディア機能を備えた再生装置を提供することにある。
【課題を解決するための手段】
【００１２】
上記目的を達成するために本発明の再生装置は、複数の再生源と、これら複数の再生源からの再生信号の内、任意の再生源からの再生信号を選択する再生信号選択手段と、この再生信号選択手段にて選択した再生信号をスピーカ手段及びヘッドホン手段に再生出力させる制御手段とを有する再生装置であって、前記複数の再生源の内、所定の再生源からの割込み信号を検出する割込み検出手段を有し、前記制御手段は、前記割込み検出手段にて前記割込み信号を検出すると、前記再生信号選択手段にて選択中の再生信号に関わる前記ヘッドホン手段への再生出力を保持しながら、前記再生信号選択手段にて前記割込み信号に関わる再生信号を選択し、この再生信号を前記スピーカ手段にのみ再生出力させるようにした。
【００１３】
また、上記目的を達成するために本発明の再生装置は、複数の再生源と、これら複数の再生源からの再生信号の内、少なくとも二以上の異なる再生信号を同時選択可能とする再生信号選択手段と、この再生信号選択手段にて同時選択中の異なる再生信号の内、一の再生信号をスピーカ手段に再生出力させながら、このスピーカ手段にて再生出力中の再生信号とは異なる再生信号をヘッドホン手段に再生出力させる制御手段とを有する再生装置であって、前記複数の再生源の内、所定の再生源からの割込み信号を検出する割込み検出手段を有し、前記制御手段は、前記割込み検出手段にて前記割込み信号を検出すると、前記再生信号選択手段にて選択中の再生信号に関わる前記ヘッドホン手段への再生出力を保持しながら、前記再生信号選択手段にて前記割込み信号に関わる再生信号を選択し、この再生信号を前記スピーカ手段にのみ再生出力させるようにした。
【００１４】
また、本発明の再生装置は、前記制御手段が、前記割込み検出手段にて前記割込み信号を検出すると、前記再生信号選択手段にて前記割込み信号に関わる再生信号を選択し、この再生信号に所定の音響処理を施し、この所定の音響処理を施した再生信号を前記スピーカ手段にのみ再生出力させるようにした。
【００１５】
また、本発明の再生装置は、前記制御手段が、前記割込み検出手段にて前記割込み信号を検出すると、前記再生信号選択手段にて前記割込み信号に関わる再生信号を選択し、この再生信号を前記スピーカ手段内の複数のスピーカの内、所定スピーカにのみ再生出力させるようにした。
【発明の効果】
【００１６】
上記のように構成された本発明の再生装置によれば、例えば交通情報の受信開始を示す割込み信号を検出すると、再生信号選択手段にて選択中の再生信号に関わるヘッドホン手段への再生出力を保持したまま、再生信号選択手段にて割込み信号に関わる再生信号、例えば交通情報を選択し、この選択した再生信号をスピーカ手段にのみ再生出力させるようにしたので、ヘッドホン手段への再生出力に影響を与えることなく、スピーカ手段にのみ割込み信号に関わる再生信号、例えば交通情報を再生出力することで、複雑な制御を要することなく、例えばヘッドホン手段及びスピーカ手段で異なる再生信号を再生出力するデュアルメディア機能に対応した、割込み信号に関わる交通情報等の再生信号の割込み再生出力（音響出力）を実現することができる。
【００１７】
また、上記のように構成された本発明の再生装置によれば、スピーカ手段及びヘッドホン手段にて異なる再生信号を再生出力中に、例えば交通情報の受信開始を示す割込み信号を検出すると、再生信号選択手段にて選択中の再生信号に関わるヘッドホン手段への再生出力を保持したまま、再生信号選択手段にて割込み信号に関わる再生信号、例えば交通情報を選択し、この選択した再生信号をスピーカ手段にのみ再生出力させるようにしたので、ヘッドホン手段への再生出力に影響を与えることなく、スピーカ手段にのみ割込み信号に関わる交通情報等の再生信号を再生出力することで、例えばヘッドホン手段及びスピーカ手段で異なる再生信号を再生出力するデュアルメディア機能に対応した、割込み信号に関わる交通情報等の再生信号の割込み再生出力（音響出力）を実現することができる。
【００１８】
本発明の再生装置によれば、例えば交通情報等の割込み信号を検出すると、ヘッドホン手段への再生出力を保持したまま、再生信号選択手段にて割込み信号に関わる交通情報等の再生信号を選択し、この選択した交通情報等の再生信号に、所定の音量や音質を調整する音響処理を施し、この音響処理を施した再生信号をスピーカ手段にのみ再生出力させるようにしたので、複雑な制御を要することなく、デュアルメディア機能に対応した、割込み信号に関わる交通情報等の再生信号の割込み再生出力（音響出力）を実現し、かつ、所定の音量や音質で、交通情報等の再生信号をユーザに提供することができる。
【００１９】
本発明の再生装置によれば、例えば交通情報等の割込み信号を検出すると、ヘッドホン手段への再生出力を保持したまま、再生信号選択手段にて割込み信号に関わる再生信号を選択し、この再生信号をスピーカ手段内の複数のスピーカの内、所定スピーカ、例えば車室内の前部座席側に配置したフロントスピーカにのみ再生出力するようにしたので、後部座席のユーザが受聴中の再生出力に影響を与えることなく、前部座席のユーザに交通情報等の再生信号を提供することができる。
【発明を実施するための最良の形態】
【００２０】
以下、図面に基づいて本発明の再生装置における実施の形態を示すデュアルメディア機能を備えた車載用オーディオ装置について説明する。図１は本実施の形態を示す車載用オーディオ装置の全体構成を示すシステム構成図である。
【００２１】
図１に示す車載用オーディオ装置１は、車室内のフロント（前部座席）側に配置され、例えばディスク再生機能やＡＭ／ＦＭラジオ等の受信機能を含む複数の再生源２Ａを備えた本体装置２と、フロント側で本体装置２を操作するフロント側操作部３と、車室内のリア（後部座席）側で本体装置２を遠隔操作するリア側操作部４と、本体装置２と接続し、この本体装置２の再生源からの再生信号を音響出力するスピーカ５と、本体装置２と接続し、この本体装置２の再生源２Ａからの再生信号を音響出力するヘッドホン６とを有している。
【００２２】
さらに、車載用オーディオ装置１は、本体装置２と外部接続する電子機器、例えばナビゲーション装置７を備えている。
【００２３】
スピーカ５は、フロント側に配置された２台のフロントスピーカ５Ａと、リア側に配置された２台のリアスピーカとで構成している。また、ヘッドホン６は、リア側に配置されるものとする。
【００２４】
また、再生源２Ａとしては、後述するように、ＣＤ再生部、ＤＶＤ再生部やラジオチューナ部を有している。
【００２５】
尚、フロント側操作部３は、フロント側に配置された本体装置２の前面パネルに相当し、リア側操作部４は、リア側に配置されたリモコン操作部に相当するものである。
【００２６】
また、フロント側操作部３及びリア側操作部４には、複数の再生源２Ａの内、任意の再生源を選択する再生モード選択キー等を備えている。
【００２７】
図２は本実施の形態に関わる本体装置２内部の概略構成を示すブロック図である。
【００２８】
図２に示す本体装置２は、複数の再生源２Ａとして、ＣＤ再生部１１、ＤＶＤ再生部１２、ＡＭ放送やＦＭ放送等を受信するラジオチューナ部１３と、外部機器であるナビゲーション装置７、ＣＤ再生部１１、ＤＶＤ再生部１２及びラジオチューナ部１３を含めた複数の再生源２Ａの再生信号の内、スピーカ５へ音響出力する再生信号を選択するスピーカ出力切替部１４と、複数の再生源２Ａの再生信号の内、ヘッドホン６へ音響出力する再生信号を選択するヘッドホン出力切替部１５と、スピーカ出力切替部１４にて選択したスピーカ５への再生信号を増幅するスピーカ出力用アンプ１６と、ヘッドホン出力切替部１５にて選択したヘッドホン６への再生信号を増幅するヘッドホン出力用アンプ１７と、ラジオチューナ部１３にて受信したＦＭ多重放送から交通情報や番組識別情報等の多重情報を抽出する多重デコーダ部１８と、後述する割込み信号を検出する割込み検出部１９と、様々な指令を入力するフロント側操作部３と、様々な情報等を記憶するメモリ部２０と、この本体装置２全体を制御するマイコン２１とを有している。
【００２９】
ラジオチューナ部１３は、ＡＭチューナ及びＦＭチューナを兼ねて、１台のチューナでＡＭ放送及びＦＭ放送を受信するものである。
【００３０】
多重デコーダ部１８は、ラジオチューナ部１３にてＦＭ多重放送内の多重情報、例えば番組識別情報や交通情報等を解読するものである。
【００３１】
割込み検出部１９は、多重デコーダ部１８又はナビゲーション装置７からの割込み信号を検出すると、この割込み信号をマイコン２１に通知するものである。尚、この割込み信号は、多重デコーダ部１８からの場合、交通情報の受信開始を示す信号に相当し、ナビゲーション装置７からの場合、音声による経路案内情報の音声出力タイミングを示す信号に相当するものである。
【００３２】
本体装置２は、システム設定モードとしてのシングルモード又はデュアルモードに切換設定可能とするデュアルメディア機能を有し、フロント側操作部３及びリア側操作部４に設けたＳＰ／ＨＰキーのキー操作で、シングルモード又はデュアルモードに切換設定することができる。
【００３３】
シングルモードとは、複数の再生源２Ａの内、一の再生源２Ａからの再生信号をスピーカ５からのみ音響出力する設定モードである。
【００３４】
デュアルモードとは、複数の再生源２Ａの内、一の再生源２Ａからの再生信号をスピーカ５で音響出力しながら、異なる他の再生源２Ａからの再生信号をヘッドホン６で音響出力する設定モードである。
【００３５】
また、本体装置２は、複数の再生モードを有し、前述した再生モード選択キーで切換選択可能である。尚、再生モードとしては、ＣＤ再生部１１を動作選択するＣＤモードと、ＤＶＤ再生部１２を動作選択するＤＶＤモードと、ＡＭ放送を受信するラジオチューナ部１３を動作選択するＡＭモードと、ＦＭ放送を受信するラジオチューナ部１３を動作選択するＦＭモードと、ナビゲーション装置７を動作選択するナビゲーションモードとがある。
【００３６】
マイコン２１は、例えばスピーカ５にＣＤ再生部１１からの再生信号を音響出力し、ヘッドホン６にＤＶＤ再生部１２からの再生信号を音響出力するデュアルモード中に、割込み検出部１９にて交通情報の受信開始を示す割込み信号を検出すると、ヘッドホン出力切替部１５を通じてＤＶＤ再生部１２からヘッドホン６への音響出力を保持し、スピーカ出力切替部１４を通じてＣＤ再生部１１からリアスピーカ５Ｂへの音響出力を保持したまま、スピーカ出力切替部１４を通じてラジオチューナ部１３の多重デコーダ部１８からの交通情報をフロントスピーカ５Ａに音響出力するものである。
【００３７】
尚、スピーカ出力切替部１４では、割込み信号発生時においてはリアスピーカ５Ｂにて音響出力中の再生信号を切り替えることなく、フロントスピーカ５Ａに割込み信号に関わる再生信号、例えば交通情報を音響出力させるようにしている。また、割込み信号発生時以外の通常時においてはフロントスピーカ５Ａ及びリアスピーカ５Ｂは、同一再生源２Ａからの再生信号を音響出力するものである。
【００３８】
尚、請求項記載の再生装置は車載用オーディオ装置１、複数の再生源はＣＤ再生部１１、ＤＶＤ再生部１２、ラジオチューナ部１３及びナビゲーション装置７に、再生信号選択手段はスピーカ出力切替部１４及びヘッドホン出力切替部１５、スピーカ手段はスピーカ５、ヘッドホン手段はヘッドホン６、制御手段はマイコン２１、割込み検出手段は割込み検出部１９に相当するものである。
【００３９】
次に本実施の形態を示す車載用オーディオ装置１の動作について説明する。図３は本実施の形態に関わる割込み音響出力処理に関わるマイコン２１の処理動作を示すフローチャートである。
【００４０】
図３に示す割込み音響出力処理とは、例えばラジオチューナ部１３による交通情報の受信開始やナビゲーション装置７による音声の経路案内情報の発生等を示す割込み信号を検出すると、リアスピーカ５Ｂやヘッドホン６にて音響出力中の再生信号を切り替えることなく、フロントスピーカ５Ａに割込み信号に関わる再生信号、例えば交通情報や経路案内情報等を割込み音響出力させる処理である。
【００４１】
図３に示すマイコン２１は、割込み検出部１９を通じて、例えば交通情報の受信開始を示す割込み信号を検出したか否かを判定する（ステップＳ１１）。
【００４２】
マイコン２１は、割込み信号を検出すると、現在のシステム設定モードがデュアルモードであるか否かを判定する（ステップＳ１２）。尚、説明の便宜上、ここでのデュアルモードは、例えばスピーカ出力をＣＤモード、ヘッドホン出力をＤＶＤモードとし、スピーカ５からはＣＤ再生部１１の再生信号が音響出力され、ヘッドホン６からはＤＶＤ再生部１２の再生信号が音響出力されているものとする。
【００４３】
マイコン２１は、デュアルモード中であると判定されると、スピーカ出力切替部１４にて選択中の再生信号に関わる現在の再生モード、例えばＣＤモードをメモリ部２０に一時記憶する（ステップＳ１３）。
【００４４】
マイコン２１は、ヘッドホン出力切替部１５にてヘッドホン６の音響出力をＤＶＤモードの再生信号に選択保持し、スピーカ出力切替部１４にてリアスピーカ５Ｂの音響出力をＣＤモードの再生信号に選択保持したまま、スピーカ出力切替部１４にてフロントスピーカ５Ａの音響出力を割込みモード、すなわち交通情報（ラジオチューナ部１３）側に設定する（ステップＳ１４）。
【００４５】
マイコン２１は、スピーカ出力切替部１４にてフロントスピーカ５Ａに音響出力させる、割込み信号に関わる再生信号、すなわち交通情報を、スピーカ出力用アンプ１６を通じて所定の音響処理を実行した後、この所定の音響処理を施した交通情報をフロントスピーカ５Ａに割込み音響出力させる（ステップＳ１５）。尚、この際、フロントスピーカ５Ａでは交通情報、リアスピーカ５ＢではＣＤ再生部１１からの再生信号、ヘッドホン６ではＤＶＤ再生部１２からの再生信号を音響出力することになる。また、ステップＳ１５の所定の音響処理とは、受聴者が聞き取りやすい、最適な音量及び音質を得るための信号処理に相当するものである。
【００４６】
マイコン２１は、割込み信号に関わる再生信号、すなわち交通情報の割込み音響出力が完了したか否かを判定する（ステップＳ１６）。
【００４７】
マイコン２１は、割込み信号に関わる再生信号の割込み音響出力が完了したのであれば、メモリ部２０に一時記憶したフロントスピーカ５Ａの再生モードに戻すべく、すなわちＣＤモードの再生信号をフロントスピーカ５Ａに音響出力すべく、スピーカ出力切替部１４を制御し（ステップＳ１７）、フロントスピーカ５Ａの音響出力を、割込み直前の再生モードに戻すことで、この割込み音響出力処理に関わる処理動作を終了する。
【００４８】
また、マイコン２１は、ステップＳ１２にてデュアルモード中でないと判定されると、シングルモードであるものと判断し、スピーカ出力切替部１４にて選択中の再生モード、すなわちＣＤモードをメモリ部２０に一時記憶する（ステップＳ１８）。
【００４９】
マイコン２１は、選択中の再生モードをメモリ部２１に一時記憶した後、スピーカ出力の内、リアスピーカ５Ｂにて音響出力中の再生モード（ＣＤモード）を選択保持したまま、フロントスピーカ５Ａにて割込み信号に関わる再生信号、すなわち交通情報を音響出力すべく、スピーカ出力切替部１４を制御し（ステップＳ１９）、フロントスピーカ５Ａに交通情報を割込み音響出力させるべく、ステップＳ１５に移行する。
【００５０】
また、マイコン２１は、ステップＳ１１にて割込み信号を検出したのでなければ、デュアルモード若しくはシングルモードに関係なく、通常通り、スピーカ出力切替部１４若しくはヘッドホン出力切替部１５にて選択中の再生信号をスピーカ５若しくはヘッドホン６に音響出力させる通常再生を実行し（ステップＳ２０）、この割込み音響出力処理に関わる処理動作を終了する。
【００５１】
本実施の形態によれば、デュアルモード中に、例えば交通情報の受信開始を示す割込み信号を検出すると、ヘッドホン出力切替部１５にて現在選択中の再生信号に関わるヘッドホン６への音響出力及び、スピーカ出力切替部１４にて現在選択中の再生信号に関わるリアスピーカ５Ｂへの音響出力を保持したまま、スピーカ出力切替部１４にて割込み信号に関わる再生信号、例えば交通情報をフロントスピーカ５Ａにのみ音響出力させるようにしたので、ヘッドホン６やリアスピーカ５Ｂへの音響出力に影響を与えることなく、フロントスピーカ５Ａにのみ割込み信号に関わる交通情報等の再生信号を音響出力することで、複雑な制御を要することなく、ヘッドホン６及びスピーカ５で異なる再生信号を音響出力するデュアルメディア機能に対応した、割込み信号に関わる交通情報等の再生信号の割込み音響出力を実現することができる。
【００５２】
本実施の形態によれば、ヘッドホン６及びリアスピーカ５Ｂに夫々異なる再生信号の音響出力を保持したまま、割込み信号に関わる再生信号、例えば交通情報をフロントスピーカ５Ａにのみ音響出力させる場合、この割込み信号に関わる再生信号に所定の音響処理を施し、この音響処理を施した再生信号をフロントスピーカ５Ａに音響出力させるようにしたので、所定の音量や音質で、交通情報等の再生信号をユーザに提供することができる。
【００５３】
尚、上記実施の形態においては、交通情報等の割込み信号を検出すると、フロントスピーカ５Ａにのみ割込み信号に関わる交通情報等を割込み音響出力させるようにしたが、例えばフロントスピーカ５Ａの内、運転席側のフロントスピーカ５Ａにのみ交通情報等を割込み音響出力させるような構成としても、同様の効果が得られることは言うまでもない。
【００５４】
また、上記実施の形態においては、割込み信号に関わる再生信号として、ラジオチューナ部１３のＦＭ多重放送に関わる交通情報を例にあげて説明したが、例えば交通情報に限らず、割込み音響出力の情報要素を備えた、例えば緊急災害情報等の情報や、例えばナビゲーション装置７の音声による経路案内情報であっても同様の効果が得られることは言うまでもない。
【００５５】
また、上記実施の形態においては、ヘッドホン６及びスピーカ５にて異なる再生信号を夫々音響出力させるデュアルメディア機能を例にあげて説明したが、例えば後部座席用表示部及び前部座席用表示部を配置し、これら後部座席用表示部及び前部座席用表示部にて異なる再生信号（映像信号）を夫々映像出力させるシステムであっても同様であり、例えば後部座席用表示部にてＤＶＤの映像出力、前部座席用表示部にテレビの映像出力している間に、ナビゲーション装置７からの割込み信号を検出すると、後部座席用表示部のＤＶＤ映像出力に影響を与えることなく、前部座席用表示部にナビゲーション装置７からの割込み信号に関わる経路案内映像を割込み映像出力させるようにしてもよく、同様の効果が得られることは言うまでもない。
【産業上の利用可能性】
【００５６】
本発明は、複数の再生源から異なる再生信号をヘッドホン及びスピーカに夫々音響出力するデュアルメディア機能を備え、例えば交通情報の受信開始を示す割込み信号に応じて交通情報を割込み音響出力する機能を備えた車載用オーディオ装置に有用であり、交通情報等の割込み信号が発生したとしても、ヘッドホンの音響出力に影響を与えることなく、スピーカにのみ交通情報を割込み音響出力することができる。
【図面の簡単な説明】
【００５７】
【図１】本発明の再生装置における実施の形態を示す車載用オーディオ装置の全体構成を示すブロック図である。
【図２】本実施の形態に関わる本体装置内部の概略構成を示すブロック図である。
【図３】本実施の形態の割込み音響出力処理に関わる本体装置内部のマイコンの処理動作を示すフローチャートである。
【符号の説明】
【００５８】
１  車載用オーディオ装置（再生装置）
２Ａ  再生源
５  スピーカ（スピーカ手段）
６  ヘッドホン（ヘッドホン手段）
７  ナビゲーション装置（再生源）
１１  ＣＤ再生部（再生源）
１２  ＤＶＤ再生部（再生源）
１３  ラジオチューナ部（再生源）
１４  スピーカ出力切替部（再生信号選択手段）
１５  ヘッドホン出力切替部（再生信号選択手段）
１９  割込み検出部（割込み検出手段）
２１  マイコン（制御手段）
【図１】
2005130006.tif 000003
【図２】
2005130006.tif 000004
【図３】
2005130006.tif 000005